(57)【要約】【課題】光ディスク装置において、ディフェクト（ＤＦ）突入時の検出遅れをなくし、トラックサーボ振られを低く抑えてトラックサーボ外れを改善する。【解決手段】光ビームをメインビーム（Ｍｂ）とＭｂが追従するトラックに対して１回転分先行したトラックに追従するサブビーム（Ｓｂ）に回折させる回折格子，Ｍｂ及びＳｂの反射光を受光する受光素子を備えた光ピックアップ及び受光したＭｂからＴＥ信号，ＬＶＬ信号を生成し、Ｓｂから先行トラックにおけるＤＦを検出するＲＦアンプ５１を備えた光ディスク装置において、ＴＥ信号を保持するＴＥホールド回路５２と、ＴＥ信号又はＴＥホールド信号のいずれかを選択して出力するＴＥ信号選択回路５３を有し、Ｓｂから先行トラックディフェクト検出信号（Ｓｄ＿ＤＦＣＴ）を検出しその検出開始時点から所定時間後に、ＴＥホールド信号を選択して出力する。【選択図】　　　　図２
2004134015.tif 000002
【特許請求の範囲】
【請求項１】
光ビームを情報が記録された光ディスクに対して照射する半導体レーザー、前記光ビームを複数のビームに回折させる回折格子、回折格子により回折された一方の光ビームは、メインビームとして光ディスク上の情報が記録されたトラックに追従し、もう一方の光ビームは、サブビームとしてメインビームが追従しているトラックに対して１回転分先行したトラックに追従する構成となっており、各光ビームが光ディスクに反射して戻ってきた光を受光する受光素子を備え、サブビーム用の受光素子の出力信号がディフェクトにより変化したことを検知して、メインビームが前記ディフェクトを通過する時間を計算する手段、この計算結果に基づきトラックサーボ信号をホールドする手段、更にメインビームがディフェクトを通過したことを検出する手段を備えトラックサーボ信号のホールドを解除する手段を備えた光ディスク装置。
【請求項２】
前記請求項１の光ディスク装置において、サブビームがディフェクトを通過した時間よりメインビームが通過する時間を計算する手段として、光ディスクを回転させるスピンドルモーターの回転信号（モーターの１回転あたりに一定のパルス信号を出力）の周期をカウントして算出する手段を備えることを特徴とする光ディスク装置。
【請求項３】
光ディスクに設けたトラックから光ビームを用いて情報を読出す光ピックアップと、情報を読出した光ビームからトラック誤差信号（ＴＥ信号）およびフォーカス誤差信号（ＦＥ信号）ならびにトータル信号（ＬＶＬ信号）を生成するＲＦアンプと、ＴＥ信号を用いてトラッキングを制御するトラックサーボ回路を備えた光ディスク装置において、
光ピックアップが、
光ビームを情報が記録された光ディスクに対して照射する半導体レーザーと、前記光ビームを光ディスク上の情報が記録されたトラックに追従するメインビームとメインビームが追従しているトラックに対して１回転分先行したトラックに追従するサブビームの複数のビームに回折させる回折格子と、メインビームおよびサブビームが光ディスクに反射して戻ってきた光を受光する受光素子を備え、
ＲＦアンプが、
光ディスクから反射してきたメインビームからＴＥ信号およびＦＥ信号ならびにＬＶＬ信号を生成し出力するとともに、光ディスクから反射してきたサブビームから先行トラックにおけるディフェクトを検出する回路であり、
トラックサーボ回路が、
ＲＦアンプから出力されるＴＥ信号を保持するＴＥホールド回路と、ＲＦアンプからのＴＥ信号とＴＥホールド回路に保持されたＴＥホールド信号のいずれかを選択して出力するＴＥ信号選択回路と、ＴＥ信号選択回路の選択動作を制御する制御手段と、位相補償回路と、トラックドライブ回路を有し、
光ディスクから反射してきたサブビームからメインビームが追従しているトラックに対して１回転分先行したトラックにおける出力信号（Ｓｄ信号）が所定のレベル以下となった時間を示す先行トラックディフェクト検出信号（Ｓｄ＿ＤＦＣＴ信号）と、Ｓｄ＿ＤＦＣＴ信号の検出開始時点から所定時間後に、ＴＥホールド回路からのＴＥホールド信号を選択して出力するようＴＥ信号選択回路を制御する制御信号であるＴＥ信号選択回路切替信号（ＤＦＣＴ信号）を出力することを特徴とする光ディスク装置。
【請求項４】
前記所定時間が、光ディスクの１回転時間Ｔｒから一定時間ｔαを減算した時間であり、前記ＤＦＣＴ信号が、ＬＶＬ信号が所定のレベル以下となった時間を示すディフェクト検出信号（ＬＶＬ＿ＤＦＣＴ信号）に一定時間ｔαと遅延時間ｔｄとを加算した時間の間ＴＥホールド回路からのＴＥホールド信号を選択して出力する信号であることを特徴とする請求項３に記載の光ディスク装置。
【発明の詳細な説明】
【０００１】
【発明の属する技術分野】
本発明は、光ディスクに記録された情報を安定に再生することを目的とした光ディスク装置に関する。
【０００２】
【従来の技術】
従来、光ピックアップ及びＲＦアンプを用いて光ディスク上に記録されている情報を読み取る際に、ディスク上のディフェクト（光ディスク上の傷、欠陥、埃、塵など）によりトラック誤差信号（ＴＥ信号）が振られて、再生が不安定になるのを防止する対策として、ＲＦ信号におけるＬＰＦ成分の信号レベル低下を検出して、レベル変動が復帰するまでＲＦアンプから出力されたＴＥ信号をホールドする手法が用いられている。以下、従来技術について、図４を用いて説明する。
【０００３】
図４は、光ピックアップ及びＲＦアンプ５１´の構成の概要を説明する図である。光ピックアップは、半導体レーザー１２と、コリメータレンズ１３と、偏光ビームスプリッター１４と、λ／４波長板１５と、対物レンズ１６と、シリンドリカルレンズ１７と、受光素子１８とを有して構成される。
【０００４】
光ピックアップは、半導体レーザー１１から出射される光ビームを用いてスピンドルモーター１０で駆動される光ディスク１１の情報記録面のトラックから情報を読み出す。
【０００５】
ＲＦアンプは、加算増幅器１９，２０と、差動増幅器２１と、位相差検出回路２２と、加算増幅器２３と、ＬＰＦ２４とを有して構成され、フォーカス誤差信号（ＦＥ信号）、トラック誤差信号（ＴＥ信号）、トータル信号（ＬＶＬ信号）を出力する。
【０００６】
半導体レーザー１２より出射された１本の光ビームは、コリメータレンズ１３で平行光とされ、偏光ビームスプリッター１４を透過し、λ／４波長板１５で直線偏光が円偏光とされ、対物レンズ１６によって光ディスク１１の情報記録面上に集光される。
【０００７】
光ディスク１１の情報記録面での回折により明暗の情報を含んだ反射光は再び対物レンズ１６を介して、λ／４波長板１５を透過して円偏光から直線偏光とされ、偏光ビームスプリッター１４で反射されてシリンドリカルレンズ１７を介して受光素子１８に入射する。
【０００８】
ここで、シリンドリカルレンズ１７は、非点収差法によるＦＥ信号生成の為に設けられている。
【０００９】
受光素子１８は、図示のように４分割されており、各々の分割された領域の出力信号をＡ、Ｂ、Ｃ、Ｄとすると、フォーカスサーボに使われるＦＥ信号は（Ａ＋Ｃ）−（Ｂ＋Ｄ）、トラックサーボに使われるＴＥ信号は（Ａ＋Ｃ）信号と（Ｂ＋Ｄ）信号との位相差を取り生成される。ディフェクト検出に使われるＬＶＬ信号はＡ、Ｂ、Ｃ、Ｄの加算された信号に対してＬＰＦ２４を介して生成される。
【００１０】
位相差検出回路２２は、（Ａ＋Ｃ）信号と（Ｂ＋Ｄ）信号との２つの入力信号の位相差によりＴＥ信号を生成する。
【００１１】
図５を用いて、上記光ピックアップ及びＲＦアンプ５１´を用いた光ディスク装置の構成の概要を説明する。光ディスク装置は、スピンドルモーター１０と、光ディスク１１と、光ピックアップ及びＲＦアンプ５１´と、ＴＥのホールド回路５２と、ＴＥ信号選択回路５３と、位相補償回路５４と、トラックドライブ回路５５と、コンパレータ５６と、マイクロコンピューター５７とを有している。
【００１２】
光ディスク１１は、スピンドルモーター１０により回転制御されている。光ピックアップ及びＲＦアンプ５１´は、前記図４に記述したものであり、ＴＥ信号と、図示を省略したＦＥ信号を用いてサーボ回路を構成し、光ピックアップにより、集光された光ビームを光ディスク１１上の情報記録トラックに追従させている。光ピックアップ及びＲＦアンプ５１´により生成されたＴＥ信号は、ＴＥ信号として直接またはＴＥホールド回路５２を介してＴＥホールド信号として、ＴＥ信号選択回路５３に入力され、位相補償回路５４により光ピックアップのアクチュエータに最適な特性に合わせられ、トラックドライブ回路５５により図示を省略した光ピックアップのアクチュエータを駆動可能なレベルに増幅されてから、光ピックアップに入力され、光ピックアップが、光ディスク１１上の情報記録トラックに追従するようにサーボループを構成している。
【００１３】
一方、光ディスク１１上のディフェクトを検出してＴＥ信号をホールドする手段として、光ピックアップ及びＲＦアンプ５１´の出力であるＬＶＬ信号が、マイクロコンピューター５７から出力される“スライスレベル１”によりコンパレータ５６において２値化され、ディフェクト検出信号（ＬＶＬ＿ＤＦＣＴ信号）としてマイクロコンピューター５７に入力される。ＬＶＬ＿ＤＦＣＴ信号は、マイクロコンピューター５７において加工されて、ＴＥ信号選択回路５３を制御するＴＥ信号選択回路切替信号（ＤＦＣＴ信号）として出力される。
【００１４】
ＤＦＣＴ信号の生成と動作について、図６を基に説明する。光ディスク１１上のディフェクト位置の部分で信号レベルの低下が発生したＬＶＬ信号は、コンパレータ５６において、スライスレベル１により２値化され、ＬＶＬ＿ＤＦＣＴ信号を生成する。マイクロコンピューター５７に入力されたＬＶＬ＿ＤＦＣＴ信号は、立ち上がり部のみ一定時間（ｔｄ）ディレーされ、ＴＥ信号選択回路切替信号（ＤＦＣＴ信号）としてマイクロコンピューター５７から出力される。
【００１５】
ＤＦＣＴ信号をＴＥ信号選択回路５３の制御信号として使用することにより、ＤＦＣＴ信号が“Ｈｉｇｈ”の時はピックアップＲＦアンプ５１からのＴＥ信号を直接トラックサーボ信号として使用し、ＤＦＣＴ信号が“Ｌｏｗ”の時はＴＥホールド回路５２に保持されたＴＥホールド信号をトラックサーボ信号として使用することによって、ディフェクトによるトラックサーボ信号の振られを抑えている。
【００１６】
ここで、ＤＦＣＴ信号として前記ディレーｔｄを設けているのは、ディフェクトが完全に抜け出していない状態でトラックホールドを解除すると、残り部分でトラックサーボが振られることとなるので、ディフェクトを最後まで通過する時間を確保するためである。
【００１７】
ＤＦＣＴ信号による制御によりＴＥ信号選択回路５３から出力されるＴＥ信号とＴＥ信号がホールドされたＴＥホールド信号を切替えた結果の信号が、図６のＴＥ信号である。
【００１８】
また、従来例としては、光ディスク上のディフェクトを１回転前に検出してから当該ディフェクトを通過するまでの間トラックサーボゲインを所定の値に低下させてトラックサーボの振られを押さえる方法が考案されている（例えば、特許文献１参照）。
【００１９】
【特許文献１】
特開平１０−１０６０１８号公報
【００２０】
【発明が解決しようとする課題】
前記、従来の技術で説明されたような構成におけるディフェクト検出においては、ディフェクトに突入する部分でどうしても検出遅れがあり、この遅れによりトラックサーボが振られ、最悪の場合はトラックサーボ外れを起こすという問題があった。
【００２１】
さらに、特許文献１にあるように、光ディスク上のディフェクトを１回転前に検出してから当該ディフェクトを通過するまでの間トラックサーボゲインを所定の値に低下させてトラックサーボの振られを押さえる方法においては、ディフェクトに突入する前の１回転でトラックサーボゲインを下げている期間において、サーボゲインを低下させたことによるサーボ抑え込みの低下による再生性能の悪化や、偏芯が大きい光ディスク再生時においては、サーボゲインを下げたことによるトラックサーボ外れが発生するおそれがあった。
【００２２】
本発明は、上記問題に鑑み、ディフェクトに突入する直前でＴＥホールドを開始して、トラックサーボ振られを低くおさえるとともに、ディフェクトに突入する部分に生じる検出遅れをなくし、ひいてはトラックサーボ外れも改善することができる光ディスク装置を提供することを目的とする。
【００２３】
【課題を解決するための手段】
本発明は、前記問題点を解決するために、光ディスク装置において、光ディスク上でのメインビームに加え、メインビームに対して１回転分先行したトラックに追従するサブビームを設け、メインビームがディフェクトを通過する１回転前にディフェクトを検出し、サブビームがディフェクトを検出した時間よりメインビームをディフェクトが通過する時間をスピンドルモーターより出力されるＦＧ信号の一定のパルス長さをカウントすることにより算出して、トラック誤差信号ＴＥのホールドを制御するディフェクト信号を生成するようにし、ディフェクト検出信号によるトラックサーボ信号のホールド制御を行なうようにした。
【００２４】
すなわち、本発明は、光ビームを情報が記録された光ディスクに対して照射する半導体レーザー、前記光ビームを複数のビームに回折させる回折格子、回折格子により回折された一方の光ビームは、メインビームとして光ディスク上の情報が記録されたトラックに追従し、もう一方の光ビームは、サブビームとしてメインビームが追従しているトラックに対して１回転分先行したトラックに追従する構成となっており、各光ビームが光ディスクに反射して戻ってきた光を受光する受光素子を備え、サブビーム用の受光素子の出力信号がディフェクトにより変化したことを検知して、メインビームが前記ディフェクトを通過する時間を計算する手段、この計算結果に基づきトラックサーボ信号をホールドする手段、更にメインビームがディフェクトを通過したことを検出する手段を備えトラックサーボ信号のホールドを解除する手段を備えた光ディスク装置とした。
【００２５】
また、本発明は、上記光ディスク装置において、サブビームがディフェクトを通過した時間よりメインビームが通過する時間を計算する手段として、光ディスクを回転させるスピンドルモーターの１回転あたりに出力される一定のパルス信号の周期をカウントして算出する手段を備えた。
【００２６】
さらに、本発明は、光ディスクに設けたトラックから光ビームを用いて情報を読出す光ピックアップと、情報を読出した光ビームからＴＥ信号およびＦＥ信号ならびにＬＶＬ信号を生成するＲＦアンプと、ＴＥ信号を用いてトラッキングを制御するトラックサーボ回路を備えた光ディスク装置において、光ピックアップが、光ビームを情報が記録された光ディスクに対して照射する半導体レーザーと、前記光ビームを光ディスク上の情報が記録されたトラックに追従するメインビームとメインビームが追従しているトラックに対して１回転分先行したトラックに追従するサブビームの複数のビームに回折させる回折格子と、メインビームおよびサブビームが光ディスクに反射して戻ってきた光を受光する受光素子を備え、ＲＦアンプが、光ディスクから反射してきたメインビームからＴＥ信号およびＦＥ信号ならびにＬＶＬ信号を生成し出力するとともに、光ディスクから反射してきたサブビームから先行トラックにおけるディフェクトを検出する回路であり、トラックサーボ回路が、ＲＦアンプから出力されるＴＥ信号を保持するＴＥホールド回路と、ＲＦアンプからのＴＥ信号とＴＥホールド回路に保持されたＴＥホールド信号のいずれかを選択して出力するＴＥ信号選択回路と、ＴＥ信号選択回路の選択動作を制御する制御手段と、位相補償回路と、トラックドライブ回路を有し、光ディスクから反射してきたサブビームからメインビームが追従しているトラックに対して１回転分先行したトラックにおける出力信号（Ｓｄ信号）が所定のレベル以下となった時間を示す先行トラックディフェクト検出信号（Ｓｄ＿ＤＦＣＴ信号）と、Ｓｄ＿ＤＦＣＴ信号の検出開始時点から所定時間後に、ＴＥホールド回路からのＴＥホールド信号を選択して出力するようＴＥ信号選択回路を制御する制御信号であるＴＥ信号選択回路切替信号（ＤＦＣＴ信号）を出力するようにした。
【００２７】
さらに、本発明は、この光ディスク装置において、所定時間が、光ディスクの１回転時間Ｔｒから一定時間ｔαを減算した時間であり、前記ＤＦＣＴ信号が、ＬＶＬ信号が所定のレベル以下となった時間を示すディフェクト検出信号（ＬＶＬ＿ＤＦＣＴ信号）に所定時間ｔαと一定の遅延時間ｔｄとを加算した時間の間ＴＥホールド回路からのＴＥホールド信号を選択して出力する信号とした。
【００２８】
【発明の実施の形態】
以下、本発明を添付図面に基づき説明する。図１は、本発明におけるピックアップおよびＲＦアンプの構成図である。従来例である図４と同一の機能には同じ番号を付している。
【００２９】
本発明が図４に示した従来例と相違する点は、半導体レーザー１２より出射された１本の光ビームを０次光（メインビーム）と＋１次光（サブビーム）の２本に回折させる回折格子１０１を半導体レーザー１２と偏光ビームスプリッター１４との間に設けた点と、回折格子１０１により回折された０次光がディスク上より反射された光を受ける受光素子１０２ａおよび回折格子１０１により回折された＋１次光がディスク上より反射された光を受ける受光素子１０２ｂとからなる受光素子１０２を用いた点である。
【００３０】
すなわち、本発明にかかる光ピックアップ及びＲＦアンプ５１は、半導体レーザー１２、コリメータレンズ１３、光ビームを複数のビームに回折させる回折格子１０１、偏光ビームスプリッター１４、λ／４波長板１５、対物レンズ１６、シリンドリカルレンズ１７、受光素子１０２とを有する光ピックアップと、光ディスク上の情報が記録されたトラックに追従する回折格子により回折されたメインビームを受光する受光素子１０２ａ、メインビームが追従しているトラックに対して１回転分先行したトラックに追従する回折格子により回折されたサブビームを受光する受光素子１０２ｂ、加算増幅器１９，２０、差動増幅器２１、位相差検出回路２２、加算増幅器２３、ＬＰＦ２４を有するＲＦアンプを有して構成される。
【００３１】
ＲＦアンプは、ＦＥ信号、ＴＥ信号、ＬＶＬ信号及びメインビームが追従しているトラックに対して１回転分先行したトラックにおける出力信号（Ｓｄ信号）を出力する。
【００３２】
回折格子１０１により回折された０次光の経路は、従来例図４での説明と同じ経路を通り受光素子１０２ａに結像し、従来例と同じ信号生成方法によりＦＥ信号、ＴＥ信号、ＬＶＬ信号を生成する。一方、回折格子１０１により回折された＋１次光は、偏光ビームスプリッター１４、λ／４波長板、対物レンズ１６を透過し光ディスク１１上のメインビームが合焦しているトラックより１回転分先行したトラック位置に合焦している。＋１次光の光ディスクからの反射光は、対物レンズ１６、λ／４波長板１５を透過し偏光ビームスプリッター１４により反射されシリンドリカルレンズ１７を透過して受光素子１０２上に１０２ｂのように結像する。受光素子１０２ｂは、Ｓｄ信号を出力し、ディフェクト検出に使用される。
【００３３】
図２を用いて、上記光ピックアップ及びＲＦアンプ５１を用いた本発明にかかる光ディスク装置の構成の概要を説明する。図２について、従来例図５での説明との重複を避けるために異なる点についてのみ説明する。従来例では、制御手段であるマイクロコンピューター５７より出力されるＤＦＣＴ信号は、メインビームのＬＶＬ信号から形成されるＬＶＬ＿ＤＦＣＴ信号を用いて生成していたが、本発明では、コンパレータ５６においてメインビームのＬＶＬ信号より生成されるディフェクト検出信号（ＬＶＬ＿ＤＦＣＴ信号）と、コンパレータ５８においてサブビームのＳｄ信号より生成される先行トラックディフェクト検出信号（Ｓｄ＿ＤＦＣＴ信号）も用いてＴＥ信号選択回路切替信号（ＤＦＣＴ信号）を生成し、ＴＥ信号のホールド制御を行っている点である。
【００３４】
図２における光ピックアップ及びＲＦアンプ５１から出力されたＳｄ信号は、マイクロコンピューター５７にて設定された“スライスレベル２”によりコンパレータ５８で２値化され、Ｓｄ＿ＤＦＣＴ信号としてＴＥ信号選択回路を制御する手段であるマイクロコンピューター５７に入力される。同様にＬＶＬ＿ＤＦＣＴ信号もマイクロコンピューター５７に入力される。Ｓｄ＿ＤＦＣＴ信号およびＬＶＬ＿ＤＦＣＴ信号は、マイクロコンピューター５７内部で、スピンドルモーター１０から入力されるＦＧ信号とともに処理され、ＴＥ信号選択回路５３の制御信号（ＤＦＣＴ信号）として出力されて、ディフェクト検出時のＴＥ信号が振られないように、ディフェクト検出時はＴＥホールド信号をトラックサーボループの信号として用いるよう制御されている。
【００３５】
図３を用いて、前記ＤＦＣＴ信号の生成について説明する。図３は、本発明におけるディフェクト検出信号生成の方法の説明図である。Ｓｄ信号は、メインビームより１回転先行したサブビームにより生成されたディフェクト検出用の信号であるので、メインビームでのディフェクトが検出される１回転前に信号レベルの低下が発生している。Ｓｄ信号をマイクロコンピューター５７にて生成されたスライスレベル２により２値化した信号がＳｄ＿ＤＦＣＴ信号である。
【００３６】
一方、スピンドルモーター１０により生成されたＦＧ信号は、例えば、ブラシレスモーターであれば、ホール素子が設けられており１回転に複数パルスの信号（ＦＧ信号）が生成される。この１回転に発生する複数パルスをマイクロコンピューター５７に取り込み、内部クロックによりカウントしリアルタイムで光ディスク１１が１回転するに要する時間“Ｔｒ”を計測する。時間Ｔｒは、Ｓｄ信号レベルが低下することによってサブビームがディフェクトを検出して（Ｓｄ＿ＤＦＣＴ信号“Ｌｏｗ”）からＬＶＬ信号レベルの低下によりメインビームがディフェクトを検出する（ＬＶＬ＿ＤＦＣＴ信号“Ｌｏｗ”）時間に相当する。
【００３７】
ディフェクトに突入する部分での検出遅れによる影響をなくすためには、メインビームームがディフェクトに突入する直前にＴＥ信号をＴＥホールド回路５２によりホールドしてトラックサーボ振られを抑える必要がある。このために、ＤＦＣＴ信号は、１回転に要する時間“Ｔｒ”から一定時間ｔα（数十μＳから数百μＳ程度）を差し引いた時間（Ｔｒ−ｔα）の時間経過後に立ち下がる（ＴＥ信号ホールド開始）ように生成される。
【００３８】
一方、ＤＦＣＴ信号の立ち上がり（ＴＥ信号ホールド信号解除）は、従来例と同様にＬＶＬ信号の立ち上がりにディレーｔｄを加えた時間に設定されている。
【００３９】
前記ＤＦＣＴ信号を図２におけるＴＥ信号選択回路５３の制御信号として用いた場合のＴＥ信号の振る舞いを図３のＴＥ信号として示す。図をみてわかる通り、ディフェクト部の直前でＴＥ信号をホールドしているのでディフェクト突入時のトラックサーボ信号の振られがなくなり、ディフェクト通過後のトラックサーボ振られが低く抑えられている。
【００４０】
また、トラックサーボをＴＥ信号ホールド側に切換えている期間がディフェクト直前からディフェクト直後までに限定していることにより、１トラック前にトラックサーボゲインを下げる手法に見られる再生性能の悪化や偏芯が大きい光ディスク再生時におけるトラックサーボ外れの可能性を排除できる。
【００４１】
【発明の効果】
以上のように、本発明によるディフェクト検出信号によるトラックサーボ信号のホールド制御によれば、ディフェクトに突入する直前でＴＥホールドを開始するので、トラックサーボ振られを低くおさえることができ、引いてはトラックサーボ外れも改善することができる。
【図面の簡単な説明】
【図１】本発明における光ピックアップ及びＲＦアンプの構成図。
【図２】図１に示した光ピックアップ及びＲＦアンプを用いた本発明の光ディスク装置実施例。
【図３】本発明におけるディフェクト検出信号の生成方法。
【図４】従来例の光ピックアップ及びＲＦアンプの構成図。
【図５】図４に示した光ピックアップ及びＲＦアンプを用いた従来例の光ディスク装置。
【図６】従来例におけるディフェクト検出信号の生成方法。
【符号の説明】
１０　スピンドルモーター
１１　光ディスク
１２　半導体レーザー
１３　コリメータレンズ
１４　偏光ビームスプリッター
１５　λ／４波長板
１６　対物レンズ
１７　シリンドリカルレンズ
１８　受光素子
１９，２０，２３　加算増幅器
２１　差動増幅器
２２　位相差検出回路
２４　ＬＰＦ（ローパスフィルター）
５１　光ピックアップ及びＲＦアンプ
５２　ＴＥホールド回路
５３　ＴＥ信号選択回路
５４　位相補償回路
５５　トラックドライブ回路
５６，５８　コンパレータ
５７　マイクロコンピューター
１０１　回折格子
１０２　受光素子
１０２ａ　受光素子（メインビーム側）
１０２ｂ　受光素子（サブビーム側）
【図１】
2004134015.tif 000003
【図２】
2004134015.tif 000004
【図３】
2004134015.tif 000005
【図４】
2004134015.tif 000006
【図５】
2004134015.tif 000007
【図６】
2004134015.tif 000008